(57)【要約】【課題】同一のデータ、機能を有する複数の無線通信端末を切替える。【解決手段】ＦＭＣ制御装置３０は、複数の無線端末装置２０のうち、充電中の第１無線端末装置２０ａに割り振られた電話番号と第３無線端末装置２０ｃに割り振られた電話番号とを入れ替える。これにより、ユーザは、充電中であっても、充電中の第１無線端末装置２０ａに割り振られた電話番号を用いて、第３無線端末装置２０ｃを操作することにより、充電中の第１無線端末装置２０ａにおける環境と同じ環境で、通話等の通信を実行できる。【選択図】図２
2007266877.tif 000002
【特許請求の範囲】
【請求項１】
無線端末装置を識別するための識別情報と所定のデータとが記憶された第１無線端末装置と、前記識別情報とは異なる識別情報が記憶された第２無線端末装置とをそれぞれ検出する端末検出部と、
前記端末検出部において前記第１無線端末装置と前記第２無線端末装置の双方が検出された場合、前記第１無線端末装置の識別情報を前記第２無線端末装置に記憶させながら、前記所定のデータを第２無線通信装置に記憶させるデータ制御部と、
を備えることを特徴とする端末切替装置。
【請求項２】
前記第１無線端末装置と前記第２無線端末装置とは、前記識別情報に対応づけられた無線通信とは別の無線通信を実行し、
前記端末検出部は、前記第１無線端末装置を介し、前記別の無線通信により、第２端末装置を検出することを特徴とする請求項１に記載の端末切替装置。
【請求項３】
前記データ制御部は、前記第１無線端末装置の識別情報を前記第２無線端末装置に記憶した後に、前記第２無線端末装置の識別情報を元の状態に戻す場合、前記第２無線端末装置に記憶された所定のデータを消去することを特徴とする請求項１または２に記載の端末切替装置。
【請求項４】
所定のデータを記憶する第１無線端末装置であって、公衆用の無線通信機能が使用可能に設定されている第１無線端末装置を検出し、前記公衆用の無線通信機能と自営網無線通信機能とを有し、前記公衆用の無線通信機能が使用不可能に設定されている第２無線端末装置を自営網を介して検出する端末検出部と、
前記端末検出部において第１無線端末装置と第２無線端末装置の双方が検出された場合、前記第１無線端末装置における前記公衆用の無線通信機能を使用不可能に設定し、さらに、前記第２無線端末装置における前記公衆用の無線通信機能を使用可能に設定しながら、前記所定のデータを第２無線通信装置に記憶させるデータ制御部と、
を備えることを特徴とする端末切替装置。
【請求項５】
前記データ制御部は、前記第１無線端末装置における前記公衆用の無線通信機能を使用不可能に設定した後に、前記第１無線端末装置における前記公衆用の無線通信機能を使用可能の状態に戻す場合、前記第２無線端末装置における前記公衆用の無線通信機能を使用不可能に設定しながら、前記所定のデータを第２無線通信装置から消去させることを特徴とする請求項４に記載の端末切替装置。
【請求項６】
無線端末装置を識別するための識別情報と所定のデータとが記憶された第１無線端末装置と前記識別情報とは異なる識別情報を記憶する第２無線端末装置とを検出した場合、前記第１無線端末装置の識別情報を前記第２無線端末装置に記憶しながら、前記所定のデータを第２無線通信装置に記憶することを特徴とする端末切替方法。
【請求項７】
所定のデータを記憶する第１無線端末装置であって、少なくとも公衆用の無線通信機能を有し、前記公衆用の無線通信機能が使用可能に設定されている第１無線端末装置を検出し、前記公衆用の無線通信機能と自営網通信機能とを有し、前記公衆用の無線通信機能が使用不可能に設定されている第２無線端末装置を自営網を介して検出した場合、前記第１無線端末装置における前記公衆用の無線通信機能を使用不可能に設定し、さらに、前記第２無線端末装置における前記公衆用の無線通信機能を使用可能に設定しながら、前記所定のデータを第２無線通信装置に記憶することを特徴とする端末切替方法。
【発明の詳細な説明】
【技術分野】
【０００１】
本発明は、通信技術に関し、特に、複数の端末装置を制御する端末切替方法およびそれを用いた端末切替装置に関する。
【背景技術】
【０００２】
近年、通信の規制緩和にともない、さまざまな通信方式が開発されている。ユーザは、複数の端末装置を所有する場合、個々の通信方式に対応した通信端末を使い分ける必要がある。一般的に、端末装置は、ユーザによって電話番号や電子メールアドレスなどのデータを登録できる機能を有する。しかしながら、複数の端末装置を所有する場合、すべての端末装置にデータを登録する作業は、データの数に比例して困難な作業となっていた。このような課題に対し、従来、通信によりデータを転送する技術が開示されている（たとえば、特許文献１、２参照）。
【特許文献１】特開２００４−０５６５０８号公報
【特許文献２】特開２００４−３４９７９１号公報
【発明の開示】
【発明が解決しようとする課題】
【０００３】
一般的に、複数の端末装置を所有している場合、端末装置ごとに割り振られている電話番号はそれぞれ異なる。したがって、ユーザは、複数の無線通信端末を携帯する必要があった。また、端末装置に記憶された通話先電話番号や電子メールアドレスなどのデータは、個人情報に該当する場合があるため、台数に比例して、それらの情報セキュリティ管理が困難となっていた。
【０００４】
本発明はこうした状況に鑑みてなされたものであり、その目的は、複数の端末装置を制御する端末切替方法およびそれを用いた端末切替装置を提供することにある。
【課題を解決するための手段】
【０００５】
上記課題を解決するために、本発明のある態様の端末切替装置は、無線端末装置を識別するための識別情報と所定のデータとが記憶された第１無線端末装置と、第１無線端末装置の識別情報とは異なる識別情報が記憶された第２無線端末装置とをそれぞれ検出する端末検出部と、端末検出部において第１無線端末装置と第２無線端末装置の双方が検出された場合、第１無線端末装置の識別情報を第２無線端末装置に記憶しながら、所定のデータを第２無線通信装置に記憶させるデータ制御部と、を備える。
【０００６】
ここで、「識別情報」とは、無線端末装置ごとに割り振られた電話番号を含む。この態様によると、第１無線端末装置の識別情報を第２無線端末装置に記憶しながら、所定のデータを第２無線通信装置に記憶させることによって、同一の電話番号を複数の無線通信装置の間で切替えることができ、ユーザの利便性を向上できる。なお、第２無線端末装置の識別情報を第１無線端末装置に記憶してもよい。
【０００７】
第１無線端末装置と第２無線端末装置とは、識別情報に対応づけられた無線通信とは別の無線通信を実行し、端末検出部は、第１無線端末装置を介し、別の無線通信により、第２端末装置を検出してもよい。
【０００８】
ここで、「識別情報に対応づけられた無線通信」とは、電話番号と回線とが対応づけられた無線通信を含み、たとえば、ＩＰアドレスと対応づけられた無線ＬＡＮなどを含む。「別の無線通信」とは、近距離の無線通信回線を含み、たとえば、赤外線による無線通信を含む。この態様のように第２無線端末装置を検出するために第１無線端末装置の別の無線通信を用いると、第２無線端末装置を検出するための装置が不要となるため、システムに要するコストを低減できる。
【０００９】
データ制御部は、第１無線端末装置の識別情報を第２無線端末装置に記憶した後に、第２無線端末装置の識別情報を元の状態に戻す場合、第２無線端末装置に記憶された所定のデータを消去してもよい。
【００１０】
ここで、「第２無線端末装置の識別情報を元の状態に戻す場合」とは、第２無線端末装置に記憶されていた第１無線端末装置にかかる識別情報を消去するとともに、過去に記憶されていた第２無線端末装置用の識別情報を、再度、第２無線端末装置の識別情報として記憶することを含む。この態様によると、第１無線端末装置の識別情報を第２無線端末装置に記憶した後に、第２無線端末装置の識別情報を元の状態に戻す場合、第２無線端末装置に記憶された所定のデータを消去することによって、情報セキュリティ管理を強化できる。
【００１１】
本発明の別の態様もまた、端末切替装置である。この装置は、所定のデータを記憶する第１無線端末装置であって、公衆用の無線通信機能が使用可能に設定されている第１無線端末装置を検出し、公衆用の無線通信機能と自営網無線通信機能とを有し、公衆用の無線通信機能が使用不可能に設定されている第２無線端末装置を自営網を介して検出する端末検出部と、端末検出部において第１無線端末装置と第２無線端末装置の双方が検出された場合、第１無線端末装置における公衆用の無線通信機能を使用不可能に設定し、さらに、第２無線端末装置における公衆用の無線通信機能を使用可能に設定しながら、所定のデータを第２無線通信装置に記憶させるデータ制御部と、を備える。
【００１２】
ここで、「公衆用の無線通信機能」とは、公衆のネットワークに接続できる移動無線通信機能を含み、たとえば、ＣＤＭＡ（Ｃｏｄｅ  Ｄｉｖｉｓｉｏｎ  Ｍｕｌｔｉｐｌｅ  Ａｃｃｅｓｓ）移動無線通信機能などを含む。また、「自営網無線通信機能」とは、自営網を介して公衆のネットワークに接続できる無線通信機能を含み、たとえば、無線ＬＡＮ（Ｌｏｃａｌ  Ａｒｅａ  Ｎｅｔｗｏｒｋ）通信機能などを含む。この態様によると、第１無線端末装置における公衆用の無線通信機能を使用不可能に設定し、さらに、第２無線端末装置における公衆用の無線通信機能を使用可能に設定しながら、所定のデータを第２無線通信装置に記憶させることによって、いずれか１つの無線通信端末による通信のみが可能となり、情報セキュリティ管理を強化できる。
【００１３】
データ制御部は、第１無線端末装置における公衆用の無線通信機能を使用不可能に設定した後に、第１無線端末装置における公衆用の無線通信機能を使用可能の状態に戻す場合、第２無線端末装置における公衆用の無線通信機能を使用不可能に設定しながら、所定のデータを第２無線通信装置から消去させてもよい。
【００１４】
この態様によると、第２無線端末装置における公衆用の無線通信機能を使用不可能に設定しながら、所定のデータを第２無線通信装置から消去させることによって、情報セキュリティ管理をより強化できる。
【００１５】
本発明のさらに別の態様は、端末切替方法である。この方法は、無線端末装置を識別するための識別情報と所定のデータとが記憶された第１無線端末装置と識別情報とは異なる識別情報を記憶する第２無線端末装置とを検出した場合、第１無線端末装置の識別情報を第２無線端末装置に記憶しながら、所定のデータを第２無線通信装置に記憶する。
【００１６】
本発明のさらに別の態様もまた、端末切替方法である。この方法は、所定のデータを記憶する第１無線端末装置であって、少なくとも公衆用の無線通信機能を有し、公衆用の無線通信機能が使用可能に設定されている第１無線端末装置を検出し、公衆用の無線通信機能と自営網通信機能とを有し、公衆用の無線通信機能が使用不可能に設定されている第２無線端末装置を自営網を介して検出した場合、第１無線端末装置における公衆用の無線通信機能を使用不可能に設定し、さらに、第２無線端末装置における公衆用の無線通信機能を使用可能に設定しながら、所定のデータを第２無線通信装置に記憶する。
【００１７】
なお、以上の構成要素の任意の組合せ、本発明の表現を方法、装置、システム、記録媒体、コンピュータプログラムなどの間で変換したものもまた、本発明の態様として有効である。
【発明の効果】
【００１８】
本発明によれば、複数の端末装置を制御する端末切替方法およびそれを用いた端末切替装置を実現できる。
【発明を実施するための最良の形態】
【００１９】
本発明の実施形態を具体的に説明する前に、まず、本発明の実施形態の概要について述べる。本発明の実施形態にかかる通信システムは、ＦＭＣ通信システムであって、ＦＭＣ（Ｆｉｘｅｄ／Ｍｏｂｉｌｅ  Ｃｏｎｖｅｒｇｅｎｃｅ）サーバと、複数の無線端末装置とを有する。ＦＭＣサーバは、複数の無線端末装置と無線ＬＡＮによる通信を実行し、それぞれの無線端末装置に記憶されたデータを管理する。
【００２０】
ＦＭＣサーバは、複数の無線端末装置のうち、充電中の無線通信端末に割り振られた電話番号と他の無線通信端末に割り振られた電話番号とを入れ替える。また、ＦＭＣサーバは、充電中の無線通信端末に記憶されたユーザデータ（所定のデータ）を他の無線通信端末に記憶する。これにより、ユーザは、充電中であっても、充電中の無線端末装置に割り振られた電話番号を用いて、他の無線通信端末を操作することにより、充電中の無線端末装置における環境と同じ環境で、通話等の通信を実行できることとなる。このようにＦＭＣ通信システムと連動させて、複数の無線端末装置をそれぞれ入れ替えることによって、ユーザの利便性を向上できる。詳細は後述する。
【００２１】
ここで、「ＦＭＣ通信システム」について説明する。ＦＭＣ通信システムとは、宅内などに固定的に設置されたサーバを介した有線回線（Ｆｉｘｅｄ）による通信と、屋外等において移動しながらでも通信を実行できる移動（Ｍｏｂｉｌｅ）通信とを融合（Ｃｏｎｖｅｒｇｅｎｃｅ）した通信システムである。
【００２２】
図１（ａ）、（ｂ）に、本発明の実施形態にかかるＦＭＣ通信システム１００の第１、第２の態様例を示す。図１（ａ）、（ｂ）において、ＦＭＣ通信システム１００は、ＦＭＣサーバ８０と、ネットワーク５０で代表される移動通信ネットワーク５２と固定通信ネットワーク５４と、無線端末装置２０で代表される第１無線端末装置２０ａと第２無線端末装置２０ｂと、移動通信用基地局装置７０で代表される第１移動通信用基地局装置７０ａと第２移動通信用基地局装置７０ｂとを含む。第１無線端末装置２０ａ、第２無線端末装置２０ｂのそれぞれは、移動通信用基地局装置７０と移動通信を実行するための第１移動無線用アンテナ２２ａもしくは第２移動無線用アンテナ２２ｂと、表示制御装置１０と無線ＬＡＮによる通信を実行するための第１無線ＬＡＮ用アンテナ２４ａもしくは第２無線ＬＡＮ用アンテナ２４ｂとを有する。以下において、移動無線用アンテナ２２は、第１移動無線用アンテナ２２ａと第２移動無線用アンテナ２２ｂとを代表し、また、無線ＬＡＮ用アンテナ２４は、第１無線ＬＡＮ用アンテナ２４ａと第２無線ＬＡＮ用アンテナ２４ｂとを代表するものとする。なお、ＦＭＣ通信システム１００は、移動通信ネットワーク５２と固定通信ネットワーク５４との間に図示しない制御サーバを含んでもよい。
【００２３】
移動通信用基地局装置７０とＦＭＣサーバ８０は、それぞれの通信エリア内に存在する無線端末装置２０との間で無線通信を実行する。図１（ａ）においては、第１移動通信用基地局装置７０ａは、破線で示す第１通信エリア４１０内に存在する第１無線端末装置２０ａとの間で無線通信を実行し、第２移動通信用基地局装置７０ｂは、破線で示す第２通信エリア４２０内に存在する第２無線端末装置２０ｂとの間で無線通信を実行する。なお、第１通信エリア４１０と第２通信エリア４２０は、屋外における通信エリアであってもよい。また、第１通信エリア４１０と第２通信エリア４２０とは、後述する第３通信エリア４３０より広い範囲を有する通信エリアである。
【００２４】
たとえば、第１無線端末装置２０ａと第２無線端末装置２０ｂとの間で通信を実行する場合、第１無線端末装置２０ａは、まず、第１移動通信用基地局装置７０ａとの間で無線通信を実行する。ついで、第１移動通信用基地局装置７０ａは、ネットワーク５０を介して、第２移動通信用基地局装置７０ｂと有線通信を実行する。さらに、第２移動通信用基地局装置７０ｂは、第２無線端末装置２０ｂとの間で無線通信を実行し、これにより、第１無線端末装置２０ａと第２無線端末装置２０ｂとの間で通信が可能となる。なお、図１（ａ）における無線端末装置２０と移動通信用基地局装置７０との間の無線通信は、ＣＤＭＡ方式による通信などの既知の移動通信方式により実行されてもよい。
【００２５】
図１（ｂ）は、図１（ａ）において第２通信エリア４２０内に存在した第２無線端末装置２０ｂが、第３通信エリア４３０内に移動した場合を示している。図１（ｂ）においては、第１無線端末装置２０ａと第２無線端末装置２０ｂとの間で通信を実行する場合、第１無線端末装置２０ａは、まず、第１移動通信用基地局装置７０ａとの間で無線通信を実行する。ついで、第１移動通信用基地局装置７０ａは、移動通信ネットワーク５２、固定通信ネットワーク５４を介して、ＦＭＣサーバ８０と有線通信を実行する。
【００２６】
ここで、ＦＭＣサーバ８０は、第２無線端末装置２０ｂとの間で、無線端末装置２０と移動通信用基地局装置７０との無線通信方式とは異なる無線通信方式を実行することによって、第１無線端末装置２０ａと第２無線端末装置２０ｂとの間の通信を可能とさせる。なお、「異なる無線通信方式」とは、無線ＬＡＮ方式などの通信方式を含み、移動通信に比べ狭いエリアを通信エリアとする近距離無線通信方式であってもよい。ここでは、無線ＬＡＮ方式による通信の場合について説明する。この場合において、ＦＭＣサーバ８０は、第２無線端末装置２０ｂを無線ＬＡＮ方式などの近距離無線通信方式における端末装置として認識することによって、ネットワーク５０を介して送信された信号を第２無線端末装置２０ｂに中継できる。
【００２７】
中継処理は、以下の手順により実行される。まず、第２無線端末装置２０ｂがＦＭＣサーバ８０の第３通信エリア４３０に移動した際に、第２無線端末装置２０ｂは識別情報をＦＭＣサーバ８０に送信し、ＦＭＣサーバ８０は、その識別情報を認証し、登録する。つぎに、ＦＭＣサーバ８０は、図示しない制御サーバに第２無線端末装置２０ｂにかかる識別情報を登録する。ここで、第２無線端末装置２０ｂに対する通信の要求があった場合、制御サーバは、その通信の経路をＦＭＣサーバ８０を介する経路に設定する。このような処理により、第２無線端末装置２０ｂは、ＦＭＣサーバ８０を介して、無線ＬＡＮ方式により通信を実行できることとなる。なお、ＦＭＣサーバ８０に代わって第２無線端末装置２０ｂが制御サーバに識別情報を登録してもよい。
【００２８】
一般的に、通常の移動通信方式に比べ、近距離の無線通信方式は、通信環境が安定している場合が多いため、通信品質がよく、伝送レートなども高速となる。したがって、このような態様により、無線端末装置２０は、いずれの通信エリアにおいても通信を実行することができ、また、より好ましい通信環境で通信を実行できることとなる。また、無線端末装置２０は、１つの電話番号のみで、複数の無線通信方式により通信が実行でき、これにより、柔軟な通信環境をユーザに提供できる。
【００２９】
図２は、図１の第３通信エリア４３０内における通信システムの構成例を示す図である。第３通信エリア４３０内においては、ＦＭＣ制御装置３０と、充電装置３２と、アクセスポイント（以下、「ＡＰ３４」と表記する）と、第１無線端末装置２０ａと第３無線端末装置２０ｃとが存在する。なお、説明の便宜上、以下においては、第１無線端末装置２０ａを所有するユーザは、第３通信エリア４３０内に存在し、さらに、第１無線端末装置２０ａを充電する場合について説明する。また、第３無線端末装置２０ｃに第１無線端末装置２０ａの無線ＬＡＮにおけるＩＰアドレスなどの識別情報等を登録する場合について説明する。ここで、第３無線端末装置２０ｃは、移動無線用アンテナ２２と後述の移動無線通信部２６が無くてもよい。
【００３０】
ＦＭＣ制御装置３０は、充電装置３２またはＡＰ３４を介し、無線端末装置２０との間で無線ＬＡＮによる通信を実行する。ＦＭＣ制御装置３０と充電装置３２との間、ＦＭＣ制御装置３０とＡＰ３４との間の通信は有線回線によって実行されてもよいし、無線回線によって実行されてもよい。ＡＰ３４は、ＦＭＣ制御装置３０と無線端末装置２０との間の通信を中継する。ここで、ＦＭＣ制御装置３０は、公知のＤＨＣＰの機能を有し、第１無線端末装置２０ａと第３無線端末装置２０ｃのＩＰアドレスなどを管理してもよい。なお、説明の便宜上、充電装置３２、ＡＰ３４はそれぞれ１つの構成のみ図示したが、複数の充電装置３２やＡＰ３４がＦＭＣ制御装置３０に接続されていてもよい。
【００３１】
充電装置３２は、無線端末装置２０に対し電力を供給する図示しない電力供給部と、無線端末装置２０とＦＭＣ制御装置３０との間の通信を中継する図示しない通信部とを有する。充電装置３２は、図示しない充電端子に第１無線端末装置２０ａの充電端子が接触したことを契機として、第１無線端末装置２０ａに対し、電力を供給する。また、通信部は、充電端子に第１無線端末装置２０ａの充電端子が接触したことを契機として、ＦＭＣ制御装置３０に対し、第１無線端末装置２０ａを検出した旨を通知する。この通知には、接続された第１無線端末装置２０ａから取得した第１無線端末装置２０ａのＩＰアドレスを含めてもよい。ＦＭＣ制御装置３０は、充電装置３２からの通知を受け、ＦＭＣ制御装置３０と無線端末装置２０との間の通信の中継を開始する。これにより、第１無線端末装置２０ａは、ＡＰ３４だけでなく、充電装置３２を介しても、ＦＭＣ制御装置３０との間で通信を実行できることとなる。
【００３２】
以上の態様のもと、ＦＭＣ制御装置３０は、以下の手順で、第１無線端末装置２０ａと第３無線端末装置２０ｃとの間で、無線ＬＡＮなどの自営網通信機能を入れ替える処理を実行する。
【００３３】
（１）ＦＭＣ制御装置３０は、第１無線端末装置２０ａが充電装置３２に接続されたことを検知する。また、ＦＭＣ制御装置３０は、ＡＰ３４を介して、第３無線端末装置２０ｃを検知する。
【００３４】
（２）ＦＭＣ制御装置３０は、充電装置３２に第１無線端末装置２０ａが接続されたことを契機として、充電装置３２を介して、第１無線端末装置２０ａの識別情報を取得する。ＦＭＣ制御装置３０は、第１無線端末装置２０ａと第３無線端末装置２０ｃに識別情報を要求してもよい。また、ＦＭＣ制御装置３０は、第１無線端末装置２０ａに記憶されたユーザデータを要求する。第１無線端末装置２０ａに対する要求信号は、充電装置３２を介してもよく、また、ＡＰ３４を介して送信されてもよい。
【００３５】
（３）ＦＭＣ制御装置３０は、第１無線端末装置２０ａから受け取った識別情報を第３無線端末装置２０ｃに送信する。また、ＦＭＣ制御装置３０は、第１無線端末装置２０ａから受け取ったユーザデータを第３無線端末装置２０ｃに送信する。さらに、ＦＭＣ制御装置３０は、第３無線端末装置２０ｃから受け取った識別情報を第１無線端末装置２０ａに送信してもよい。
【００３６】
（４）第３無線端末装置２０ｃは、受信した識別情報を自己の識別情報として登録する。また、第３無線端末装置２０ｃは、受信したユーザデータを登録する。また、第１無線端末装置２０ａは、受信した識別情報を自己の識別情報として登録してもよい。ここで、ユーザデータは、たとえば、通話先電話番号、電子メールアドレス、過去の送受信メールの内容、または、それらに対応づけられた氏名や住所などの個人情報を含む。
【００３７】
これにより、第１無線端末装置２０ａが充電中であっても、ネットワーク５０側の設定を変えることなく、ユーザは、第１無線端末装置２０ａの電話番号を有する第３無線端末装置２０ｃを用いて、通信を実行できる。第１無線端末装置２０ａに割り当てられた電話番号宛への通信要求があった場合、その通信経路は、ＦＭＣ制御装置３０とＡＰ３４を介して、第３無線端末装置２０ｃへと設定されることとなる。
【００３８】
つぎに、ユーザが第１無線端末装置２０ａを充電装置３２から取り出した場合に、再び、第１無線端末装置２０ａと第３無線端末装置２０ｃとを入れ替え、元の使用環境に戻す場合の手順について説明する。なお、「第１無線端末装置２０ａを充電装置３２から取り出した場合」とは、第１無線端末装置２０ａに蓄積された電力が最大の電力量となった場合だけでなく、充電の途中において、第１無線端末装置２０ａが充電装置３２から取り外された場合を含む。
【００３９】
（１）ＦＭＣ制御装置３０は、無線端末装置２０が充電装置３２から取り外されたことを検知する。具体的には、充電装置３２を介した第１無線端末装置２０ａとの間の通信が継続できなかったことを検出した場合、ＦＭＣ制御装置３０は、無線端末装置２０が充電装置３２から取り外されたと判定する。また、ＦＭＣ制御装置３０は、ＡＰ３４を介して、第３無線端末装置２０ｃを検知する。なお、ＦＭＣ制御装置３０は、ユーザの操作により、第１無線端末装置２０ａから、元の使用環境に戻す旨の通知を受けたことを契機として、無線端末装置２０が充電装置３２から取り外されたと判定してもよい。
【００４０】
（２）ＦＭＣ制御装置３０は、ＡＰ３４を介し、第１無線端末装置２０ａと第３無線端末装置２０ｃのそれぞれに識別情報の要求信号を送信する。また、ＦＭＣ制御装置３０は、第３無線端末装置２０ｃから受け取った識別情報を第１無線端末装置２０ａに送信し、第１無線端末装置２０ａにその識別情報を登録させる。さらに、ＦＭＣ制御装置３０は、第１無線端末装置２０ａから受け取った識別情報を第３無線端末装置２０ｃに送信し、第３無線端末装置２０ｃにその識別情報を登録させる。
【００４１】
（３）ここで、ＦＭＣ制御装置３０は、第３無線端末装置２０ｃに対し、登録されたユーザデータの消去を要求する信号を送信する。第３無線端末装置２０ｃは、要求信号にもとづき、記憶されたユーザデータを消去する。
【００４２】
以上の態様により、使用環境を元の状態に戻すことができる。また、ユーザデータは、第３無線端末装置２０ｃに残存しないため、セキュリティを強化できることとなる。たとえば、会社内にＦＭＣ制御装置３０が設置されており、その会社に所属する一社員が使用する第１無線端末装置２０ａを充電し、社員間で共有して使用する第３無線端末装置２０ｃにユーザデータを移動する場合、第３無線端末装置２０ｃに第１無線端末装置２０ａのユーザデータが残存するのは、セキュリティ上、好ましくない。したがって、上述した態様により、第１無線端末装置２０ａと第３無線端末装置２０ｃの使用環境を元に戻す際に、第３無線端末装置２０ｃに記憶された第１無線端末装置２０ａのユーザデータを消去させることによって、セキュリティを強化することとしている。
【００４３】
図３は、図２のＦＭＣ制御装置３０の構成例を示す図である。ＦＭＣ制御装置３０は、第１通信部６０と、第２通信部６２と、端末検出部６４と、データ制御部６６とを含む。第２通信部６２は、ＡＰ３４を介し、無線端末装置２０と無線ＬＡＮによる通信を実行する。また、第２通信部６２は、充電装置３２と有線通信を実行し、また、充電装置３２を介し、無線端末装置２０と有線通信を実行する。これらの通信において、第２通信部６２は、第１通信部６０を介して、ネットワーク５０との間の通信を中継する。同様に、第１通信部６０は、ネットワーク５０を介して受信した信号を第２通信部６２に中継し、また、第２通信部６２から送信された信号をネットワーク５０に中継する。
【００４４】
ここで、充電装置３２から無線端末装置２０が充電装置３２に接続された／取り外された旨の報告があった場合や、ＡＰ３４を介して無線端末装置２０を検知した旨の報告があった場合、第２通信部６２は、その報告を端末検出部６４に伝える。報告には、検知した無線端末装置２０を識別するための識別情報や無線端末装置２０に記憶されたユーザデータが含まれていてもよい。端末検出部６４は、充電装置３２を介して第１無線端末装置２０ａを検知し、かつ、ＡＰ３４を介して第３無線端末装置２０ｃを検知した場合、第１無線端末装置２０ａと第３無線端末装置２０ｃのそれぞれの識別番号をデータ制御部６６に通知する。また、端末検出部６４は、第１無線端末装置２０ａが充電装置３２から取り外された旨を通知された場合、その旨をデータ制御部６６に通知する。
【００４５】
データ制御部６６は、端末検出部６４において第１無線端末装置２０ａと第３無線端末装置２０ｃの双方が検出された場合、第１無線端末装置２０ａの識別情報と、第３無線端末装置２０ｃの識別情報とを入れ替えながら、ユーザデータを第３無線端末装置２０ｃに記憶させる。具体的には、データ制御部６６は、第１無線端末装置２０ａに向けて、第３無線端末装置２０ｃの識別情報を自己の識別情報として登録する旨の要求信号を第２通信部６２に送信させる。また、データ制御部６６は、第３無線端末装置２０ｃに向けて、第１無線端末装置２０ａの識別情報を自己の識別情報として登録する旨の要求信号を第２通信部６２に送信させるとともに、第１無線端末装置２０ａに記憶されているユーザデータを記憶させる旨の要求信号を第２通信部６２に送信させる。これにより、第１無線端末装置２０ａと第３無線端末装置２０ｃとを入れ替えることができる。
【００４６】
データ制御部６６は、第１無線端末装置２０ａと第３無線端末装置２０ｃとを入れ替えた後に、第１無線端末装置２０ａと第３無線端末装置２０ｃとを更に入れ替えることによって元の状態に戻す場合、第３無線端末装置２０ｃに記憶された所定のデータを消去する。
具体的には、データ制御部６６は、第１無線端末装置２０ａと第３無線端末装置２０ｃとを入れ替えた後に、端末検出部６４を介して、充電装置３２から第１無線端末装置２０ａが取り外されたことを通知された場合、第３無線端末装置２０ｃに向けて、第１無線端末装置２０ａに登録されていた識別情報を登録するとともに、第３無線端末装置２０ｃに記憶されているユーザデータを消去させる旨の要求信号を第２通信部６２に送信させる。また、第１無線端末装置２０ａに向けて、第３無線端末装置２０ｃに登録されていた識別情報を登録させる旨の要求信号を第２通信部６２に送信させる。このような態様により、元の状態に戻すことができる。
【００４７】
図４は、図２の第１無線端末装置２０ａもしくは第３無線端末装置２０ｃの構成例を示す図である。ここでは、説明の便宜上、第１無線端末装置２０ａもしくは第３無線端末装置２０ｃを無線端末装置２０として説明する。無線端末装置２０は、移動無線用アンテナ２２と、無線ＬＡＮ用アンテナ２４と、移動無線通信部２６と、無線ＬＡＮ通信部２８と、端末制御部４２と、識別情報記憶部４４と、ユーザデータ記憶部４６と、充電制御部３６と、バッテリー４８とを含む。
【００４８】
移動無線用アンテナ２２は、移動無線通信部２６と接続され、移動無線方式による信号の送受信処理を実行する。移動無線通信部２６は、移動無線用アンテナ２２もしくは端末制御部４２から送られた信号に対して、誤り訂正処理などの変復調処理を実行する。移動無線用アンテナ２２は、図１に示す第１通信エリア４１０もしくは第２通信エリア４２０において、第１移動通信用基地局装置７０ａもしくは第２移動通信用基地局装置７０ｂとの間の移動無線通信の実行の際に用いられる。
【００４９】
無線ＬＡＮ用アンテナ２４は、無線ＬＡＮ通信部２８と接続され、無線ＬＡＮ方式による信号の送受信処理を実行する。無線ＬＡＮ通信部２８は、無線ＬＡＮ用アンテナ２４もしくは端末制御部４２から送られた信号に対し、誤り訂正処理などの変復調処理を実行する。無線ＬＡＮ用アンテナ２４は、図１に示す第３通信エリア４３０において、ＦＭＣサーバ８０との間の無線ＬＡＮによる通信の実行の際に用いられる。
【００５０】
充電制御部３６は、充電装置３２から供給された電力をバッテリー４８に中継する。バッテリー４８は、供給された電力を蓄積する。また、充電制御部３６は、充電装置３２を介して、ＦＭＣ制御装置３０からの通信信号を受けた場合、その信号を端末制御部４２に中継する。これにより、無線端末装置２０は、ＦＭＣ制御装置３０との間で有線通信が実行できる。
【００５１】
端末制御部４２は、図１に示す通信エリアに応じて、移動無線通信部２６と無線ＬＡＮ通信部２８における通信の実行の切替を管理する。また、端末制御部４２は、第３通信エリア４３０内において、無線ＬＡＮ通信部２８を介して送付された、図示しないＦＭＣ制御装置３０からの指示にしたがって、識別情報記憶部４４もしくはユーザデータ記憶部４６にアクセスし、登録もしくは削除処理を実行する。
【００５２】
識別情報記憶部４４は、端末制御部４２の指示にしたがって、識別情報を記憶する。ユーザデータ記憶部４６は、端末制御部４２の指示にしたがって、ユーザデータを記憶する。なお、第３無線端末装置２０ｃの場合、端末制御部４２の指示により、ユーザデータ記憶部４６に記憶されたユーザデータが消去される。
【００５３】
上述したこれらの構成は、ハードウエア的には、任意のコンピュータのＣＰＵ、メモリ、その他のＬＳＩで実現でき、ソフトウエア的にはメモリのロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００５４】
つぎに、ＦＭＣ制御装置３０の動作について説明する。図５は、図１の第３通信エリア４３０内における通信システムの動作例を示すシーケンス図である。本処理は、ユーザが第１無線端末装置２０ａを充電装置３２と接続したことを契機として開始されてもよいし、また、ユーザからの開始要求を受け付けたことを契機として開始されてもよい。
【００５５】
まず、充電装置３２は、第１無線端末装置２０ａに対し、充電を開始したことを検知して（Ｓ１０）、ＦＭＣ制御装置３０に報告する（Ｓ１２）。ここで、ＦＭＣ制御装置３０は、第１無線端末装置２０ａに対し、充電装置３２を介して、識別情報とユーザデータとを要求する旨の信号を送信する（Ｓ１４、Ｓ１６）。ここで、要求された第１無線端末装置２０ａは、図４に図示する識別情報記憶部４４に記憶された識別情報と、ユーザデータ記憶部４６に記憶されたユーザデータとを、充電装置３２を介して、ＦＭＣ制御装置３０に送信する（Ｓ１８、Ｓ２０）。
【００５６】
また、ＦＭＣ制御装置３０は、第３無線端末装置２０ｃに対し、ＡＰ３４を介して、識別情報を要求する旨の信号を送信する（Ｓ２２、Ｓ２４）。ここで、要求された第３無線端末装置２０ｃは、図４に図示する識別情報記憶部４４に記憶された識別情報を、ＡＰ３４を介して、ＦＭＣ制御装置３０に送信する（Ｓ２６、Ｓ２８）。
【００５７】
さらに、ＦＭＣ制御装置３０は、第１無線端末装置２０ａに対し、充電装置３２を介して、第３無線端末装置２０ｃから送信された識別情報を自己の識別情報として登録することを要求する（Ｓ３０、Ｓ３２）。第１無線端末装置２０ａは、要求を受けて、送信された識別情報を自己の識別情報として識別情報記憶部４４に登録する（Ｓ３４）。
【００５８】
また、ＦＭＣ制御装置３０は、第３無線端末装置２０ｃに対し、ＡＰ３４を介して、第１無線端末装置２０ａから送信された識別情報とユーザデータとを自己の識別情報、ユーザデータとして登録することを要求する（Ｓ３６、Ｓ３８）。第３無線端末装置２０ｃは、要求を受けて、送信された識別情報を自己の識別情報として識別情報記憶部４４に登録し、また、送信されたユーザデータをユーザデータ記憶部４６に登録する（Ｓ４０）。
【００５９】
上述の態様をとることによって、充電中の無線端末装置２０の識別情報と、別の無線端末装置２０の識別情報とを入れ替えながら、所定のデータを別の無線通信装置に記憶させることによって、同一の電話番号を複数の無線端末装置２０の間で切替えることができる。これにより、充電中であっても、同一の機能を有する無線端末装置２０を用いることができるため、ユーザの利便性を向上できる。充電中の無線端末装置２０の識別情報と別の無線端末装置２０の識別情報とを入れ替えた後に、再び、充電中の無線端末装置２０の識別情報と別の無線端末装置２０の識別情報とを入れ替える場合、別の無線端末装置２０に記憶された所定のデータを消去することによって、情報セキュリティ管理を強化できる。
【００６０】
次に、本発明の実施形態の変形例を示す。なお、前述した実施の形態と共通する部分については同一の符号を付して説明を簡略化する。本変形例は、ＦＭＣ通信システム２００に関する。ＦＭＣ通信システム２００は、図２と同様の構成をとり、ＦＭＣ制御装置３０と無線端末装置２０と充電装置３２とＡＰ３４とを含む。ＦＭＣ制御装置３０は、前述と同様に、複数の無線端末装置のうち、充電中の無線通信端末に割り振られた電話番号等と他の無線通信端末に割り振られた電話番号等とを入れ替える。さらに、ＦＭＣ制御装置３０は、充電中の無線通信端末に対して移動通信機能を使用不可能に設定し、他の無線端末装置の移動通信機能を使用可能に設定する。
【００６１】
これにより、ユーザは、所定の無線通信端末が充電中であっても、充電中の無線端末装置に割り振られた電話番号を用いて、他の無線通信端末を操作することにより、充電中の無線端末装置における環境と同じ環境で、通話等の移動通信を実行できることとなる。また、ユーザは、外出の際に、充電中の無線端末装置のかわりに他の無線通信端末を携帯することによって、ＦＭＣ通信システム２００の第３通信エリア４３０の範囲外においても、通信を実行することができる。
【００６２】
ＦＭＣ通信システム２００は、図２と同様の構成をとり、ＦＭＣ制御装置３０と第１無線端末装置２０ａと第３無線端末装置２０ｃと充電装置３２とＡＰ３４とを含む。また、ＦＭＣ制御装置３０は、図３と同様の構成をとる。また、第１無線端末装置２０ａと第３無線端末装置２０ｃは、図４に図示する構成と同様の構成をとる。ただし、第１無線端末装置２０ａは、移動無線通信部２６および無線ＬＡＮ通信部２８の双方の機能が使用可能に設定され、また、第３無線端末装置２０ｃは無線ＬＡＮ通信部２８の機能が使用可能に設定されているものとする。一方、第３無線端末装置２０ｃの移動無線通信部２６は、使用不可能に設定されているものとする。
【００６３】
充電装置３２は、充電端子に第１無線端末装置２０ａの充電端子が接触したことを契機として、ＦＭＣ制御装置３０に対し、第１無線端末装置２０ａを検出した旨を通知する。ＦＭＣ制御装置３０は、充電装置３２からの通知を契機として、ＦＭＣ制御装置３０と無線端末装置２０との間の通信の中継を開始する。これにより、無線端末装置２０は、ＡＰ３４だけでなく、充電装置３２を介しても、ＦＭＣ制御装置３０との間で通信を実行できることとなる。
【００６４】
端末検出部６４は、充電装置３２に接続された第１無線端末装置２０ａを検出する。ここで、充電装置３２に接続される第１無線端末装置２０ａは、所定のユーザデータを記憶し、少なくとも公衆用の無線通信機能を含む無線通信機能を有し、公衆用の無線通信機能が使用可能に設定されている無線端末装置２０である。また、端末検出部６４は、公衆用の無線通信機能と自営網無線通信機能とを有し、公衆用の無線通信機能が使用不可能に設定されている第３無線端末装置２０ｃをＡＰ３４を介して検出する。
【００６５】
データ制御部６６は、端末検出部６４において第１無線端末装置２０ａと第３無線端末装置２０ｃの双方が検出された場合、第１無線端末装置２０ａにおける公衆用の無線通信機能を使用不可能に設定し、さらに、第３無線端末装置２０ｃにおける公衆用の無線通信機能を使用可能に設定しながら、所定のユーザデータを第２無線通信装置に記憶させる。
【００６６】
また、データ制御部６６は、第１無線端末装置２０ａにおける公衆用の無線通信機能を使用不可能に設定した後に、第１無線端末装置２０ａにおける公衆用の無線通信機能を使用可能の状態に戻す場合、第３無線端末装置２０ｃにおける公衆用の無線通信機能を使用不可能に設定しながら、所定のユーザデータを第３無線端末装置２０ｃから消去させる旨の信号を第２通信部６２に送信させる。
【００６７】
以上の態様のもと、ＦＭＣ制御装置３０は、以下の手順で、第１無線端末装置２０ａと第３無線端末装置２０ｃの移動通信にかかる機能の有効性の設定／解除を制御する。なお、識別情報やユーザデータの入れ替え処理については、前述した実施形態と同様の処理が実行されればよいため、簡略化して説明する。
【００６８】
（１）ＦＭＣ制御装置３０は、第１無線端末装置２０ａが充電装置３２に接続されたことを検知する。また、ＦＭＣ制御装置３０は、ＡＰ３４を介して、第３無線端末装置２０ｃを検知する。ＦＭＣ制御装置３０は、充電装置３２に接続された第１無線端末装置２０ａを介して、第３無線端末装置２０ｃを検出してもよい。（２）ＦＭＣ制御装置３０は、第１無線端末装置２０ａと第３無線端末装置２０ｃのそれぞれの識別情報の入れ替え処理を実行する。また、ＦＭＣ制御装置３０は、第１無線端末装置２０ａのユーザデータを第３無線端末装置２０ｃのユーザデータ記憶部４６に登録させる。
【００６９】
（３）ＦＭＣ制御装置３０は、第１無線端末装置２０ａから、移動通信を可能とするための情報（以下、「設定情報」と表記する。）を取得する。設定情報は、通信事業者から割当られた識別番号等を含む。また、ＦＭＣ制御装置３０は、第１無線端末装置２０ａに対し、第１無線端末装置２０ａの移動無線通信部２６にかかる機能を使用不可能に設定させる旨を要求する。第１無線端末装置２０ａは、登録された設定情報を削除し、移動無線通信部２６にかかる機能を使用不可能に設定する。
【００７０】
（４）さらに、ＦＭＣ制御装置３０は、ＡＰ３４を介し、第３無線端末装置２０ｃの移動無線通信部２６にかかる機能を使用可能に設定させる。具体的には、ＦＭＣ制御装置３０は、第３無線端末装置２０ｃに対し、設定情報を含む設定要求信号を送信する。第３無線端末装置２０ｃは、無線ＬＡＮ通信部２８において設定要求信号を受信する。設定要求信号は、端末制御部４２に伝えられ、設定要求信号に含められた設定情報を登録し、移動無線通信部２６にかかる機能を使用可能に設定する。
【００７１】
つぎに、ユーザが第１無線端末装置２０ａを充電装置３２から取り出した場合に、再び、第１無線端末装置２０ａと第３無線端末装置２０ｃとを入れ替え、元の使用環境に戻す場合の手順について説明する。
【００７２】
（１）まず、ＦＭＣ制御装置３０は、第１無線端末装置２０ａが充電装置３２から取り外されたことを検知する。また、ＦＭＣ制御装置３０は、ＡＰ３４を介して、第３無線端末装置２０ｃを検知する。なお、第３無線端末装置２０ｃを検知できなかった場合、第３無線端末装置２０ｃは、ユーザとともに、ＦＭＣ制御装置３０の第３通信エリア４３０の範囲外に存在すると判断されるため、以下の処理は実行しない。
【００７３】
（２）ＦＭＣ制御装置３０は、第１無線端末装置２０ａと第３無線端末装置２０ｃの双方を検出した場合、まず、第３無線端末装置２０ｃから設定情報を取得する。また、第３無線端末装置２０ｃに対し、移動通信にかかる機能を使用不可能に設定させる旨と設定情報を消去させる旨を要求する。つぎに、ＦＭＣ制御装置３０は、第１無線端末装置２０ａに対し、第３無線端末装置２０ｃから取得した設定情報を送信し、登録させることによって、第１無線端末装置２０ａの移動通信にかかる機能を使用可能に設定させる。
【００７４】
（３）ここで、ＦＭＣ制御装置３０は、第３無線端末装置２０ｃに対し、登録されたユーザデータの消去を要求する信号を送信する。第３無線端末装置２０ｃは、要求信号にもとづき、記憶されたユーザデータを消去する。
【００７５】
以上の態様により、同時に使用できる無線端末装置２０は、１台であるため、セキュリティを強化できることとなる。なお、移動通信機能の有効性の設定／解除に先だって、第１無線端末装置２０ａからパスワードを取得し、ＦＭＣ制御装置３０に予め設定されたパスワードが一致する場合に、ＦＭＣ制御装置３０は、移動通信機能の有効性の設定／解除にかかる処理を実行してもよい。これにより、さらにセキュリティを強化できることとなる。
【００７６】
図６は、本発明の実施形態の変形例にかかる通信システムの動作例を示すシーケンス図である。本処理は、ユーザが第１無線端末装置２０ａを充電装置３２と接続したことを契機として開始されてもよいし、また、ユーザからの開始要求を受け付けたことを契機として開始されてもよい。
【００７７】
まず、充電装置３２は、第１無線端末装置２０ａに対し、充電を開始したことを検知して（Ｓ６０）、ＦＭＣ制御装置３０に検知したことを報告する（Ｓ６２）。また、ＡＰ３４は、第３無線端末装置２０ｃから通信の開始要求があった場合（Ｓ６４）、ＦＭＣ制御装置３０に検知したことを報告する（Ｓ６６）。ＦＭＣ制御装置３０は、第１無線端末装置２０ａに対し、充電装置３２を介して、設定情報を送信する旨を要求する（Ｓ６８、Ｓ７０）。ここで、要求された第１無線端末装置２０ａは、設定情報を、充電装置３２を介して、ＦＭＣ制御装置３０に送信する（Ｓ７２、Ｓ７４）。
【００７８】
つぎに、ＦＭＣ制御装置３０は、充電装置３２を介して、第１無線端末装置２０ａに対し、図４に示す移動無線通信部２６の機能を解除することを要求する（Ｓ７６、Ｓ７８）。第１無線端末装置２０ａは、登録されている設定情報を消去することによって、移動無線通信部２６の機能を解除し、当該機能を使用不可能に設定する（Ｓ８０）。
【００７９】
さらに、ＦＭＣ制御装置３０は、ＡＰ３４を介して、第３無線端末装置２０ｃに対し、設定要求信号を送信する（Ｓ８２、Ｓ８４）。第３無線端末装置２０ｃは、送信された設定要求信号に含まれる設定情報を自己の設定情報として登録することによって、図４に示す移動無線通信部２６の機能を使用可能に設定する（Ｓ８６）。設定が完了した場合、第３無線端末装置２０ｃは、ＡＰ３４を介し、ＦＭＣ制御装置３０に対し、設定が完了した旨を報告する（Ｓ８８、Ｓ９０）。
【００８０】
以上の態様により、本変形例においては、充電中の無線端末装置２０における移動通信機能を使用不可能に設定し、さらに、別の無線端末装置２０における移動通信機能を使用可能に設定しながら、所定のデータを別の無線端末装置２０に記憶させることによって、いずれか１つの無線端末装置２０による通信のみが可能となり、情報セキュリティ管理を強化できる。また、ユーザは、所定の無線端末装置２０が充電中であっても、充電中の無線端末装置２０に割り振られた電話番号を用いて、他の無線端末装置２０を操作することにより、充電中の無線端末装置２０における環境と同じ環境で、通話等の移動通信を実行できることとなる。また、ユーザは、外出の際に、充電中の無線端末装置２０のかわりに他の無線端末装置２０を携帯することによって、ＦＭＣ通信システム２００の第３通信エリア４３０の範囲外においても、通信を実行することができる。
【００８１】
以上、本発明を実施形態をもとに説明した。この実施形態は例示であり、それらの各構成要素や各処理プロセスの組合せにいろいろな変形例が可能なこと、またそうした変形例も本発明の範囲にあることは当業者に理解されるところである。
【００８２】
なお、ＦＭＣ制御装置３０は、ＡＰ３４を介して、第３無線端末装置２０ｃを検知するとして説明したが。ＦＭＣ制御装置３０は、充電装置３２に接続された第１無線端末装置２０ａを介して、第３無線端末装置２０ｃを検出してもよい。この場合、第１無線端末装置２０ａと第３無線端末装置２０ｃとは、赤外線通信などの近距離無線通信を実行する図示しない近距離無線通信部を互いに備えればよい。このような態様であっても、前述と同様の効果を得ることができることは言うまでもない。
【００８３】
なお、ＦＭＣ制御装置３０は、第１無線端末装置２０ａと第３無線端末装置２０ｃの識別情報を入れ替えるとして説明した。しかしながらこれにかぎらず、ＦＭＣ制御装置３０は、第１無線端末装置２０ａに対しては、第３無線端末装置２０ｃの識別情報を記憶させなくともよい。また、第１無線端末装置２０ａは、無線ＬＡＮ通信部２８の機能を停止してもよい。このような場合、第１無線端末装置２０ａは、ＡＰ３４を介した通信のみが可能となる。
【図面の簡単な説明】
【００８４】
【図１】図１（ａ）、（ｂ）は、本発明の実施形態にかかるＦＭＣ通信システムの第１、第２の態様例を示す図である。
【図２】図１の第３通信エリア内における通信システムの構成例を示す図である。
【図３】図２のＦＭＣ制御装置の構成例を示す図である。
【図４】図２の無線端末装置の構成例を示す図である。
【図５】図１の第３通信エリア内における通信システムの動作例を示すシーケンス図である。
【図６】本発明の実施形態の変形例にかかる通信システムの動作例を示すシーケンス図である。
【符号の説明】
【００８５】
２０  無線端末装置、  ２２  移動無線用アンテナ、  ２４  無線ＬＡＮ用アンテナ、  ２６  移動無線通信部、  ２８  無線ＬＡＮ通信部、  ３０  ＦＭＣ制御装置、  ３２  充電装置、  ３４  ＡＰ、  ３６  充電制御部、  ４２  端末制御部、  ４４  識別情報記憶部、  ４６  ユーザデータ記憶部、  ４８  バッテリー、  ５０  ネットワーク、  ６０  第１通信部、  ６２  第２通信部、  ６４  端末検出部、  ６６  データ制御部、  ７０  移動通信用基地局装置、  ８０  ＦＭＣサーバ、  １００  ＦＭＣ通信システム。
【図１】
2007266877.tif 000003
【図２】
2007266877.tif 000004
【図３】
2007266877.tif 000005
【図４】
2007266877.tif 000006
【図５】
2007266877.tif 000007
【図６】
2007266877.tif 000008